(57)【特許請求の範囲】
【請求項１】
短管状の継手本体の両端に、互いに相反する方向に屈曲した接続部が設けられ、その水下側接続部に、竪樋の上端部が接続されるソケット部材が回動自在に嵌着され、一方、前記水上側接続部に、呼び樋の下端部が接続されるエルボ部材が回動自在に嵌着されていることを特徴とする伸縮吸収継手。
【請求項２】
水上側接続部の端部内周面およびソケット部材の水上側端部内周面にそれぞれ係止部が設けられ、一方、水下側接続部の端部外周面およびエルボ部材の水下側端部外周面にそれぞれ凹溝が設けられ、前記両係止部がそれぞれ前記両凹溝に嵌着されることにより、ソケット部材およびエルボ部材がそれぞれ継手本体に対して回動自在とされている請求項１記載の伸縮吸収継手。
【発明の詳細な説明】
【０００１】
【発明の属する技術分野】
本発明は軒樋の熱伸縮を吸収できる伸縮吸収継手に関する。
【０００２】
【従来の技術】
従来、軒樋と竪樋との接続は、図５に示すように、樋集水器７ａの落とし口の下端部に接続したエルボ継手１ａと、竪樋６ａの上端部に接続したエルボ継手１ａとの間に、竪樋６ａと同一断面形状の所定長さの呼び樋５ａを配置して、この呼び樋５ａの両端部をそれぞれ両エルボ継手１ａ，１ａに嵌め込んで接続していた。この場合、呼び樋５ａの両端が完全に接着して固定されるので、軒樋の熱伸縮を吸収することはできなかった。
【０００３】
かかる軒樋の熱伸縮を吸収できるものとして、たとえば特開平３−２６７４４７号公報に記載された呼び樋の適用が考えられる。この呼び樋は二重管構造のものであり、具体的には、図６および図７に示すように、ブロー成形により形成した一端部に接続用拡径部５１１ｂを有する水上側管５１ｂの他端部を、押出成形により形成した水下側管５２ｂの端部内に深浅自在に嵌め込んだ呼び樋５ｂである。
【０００４】
【発明が解決しようとする課題】
しかしながら、上記特開平３−２６７４４７号公報に記載の呼び樋の構造においては、水上側管５１ｂの他端部が水下側管５２ｂの端部内に単に嵌め込まれた構造であるため、水上側管５１ｂと水下側管５２ｂとの摺動摩擦抵抗がかなりあって、軒樋の熱伸縮に対応できるものではない。ところで、水上側管５１ｂの外径と、水下側管５２ｂの内径とのクリアランスを大きくすれば上記摺動摩擦抵抗を小さくすることは可能であるが、仮に軒樋の熱伸縮を吸収できたとしても、呼び樋５ｂが緩やかな勾配あるいは水平状態で接続施工された場合、水漏れが発生するという問題があった。
【０００５】
本発明の目的は、軒樋の熱伸縮を吸収緩和できる伸縮吸収継手を提供することにある。
【０００６】
本発明の他の目的は、水平状態で接続施工されても、両回動自在な接続部より水漏れが生じない伸縮吸収継手を提供することにある。
【０００７】
【課題を解決するための手段】
請求項１記載の発明の伸縮吸収継手は、短管状の継手本体の両端に、互いに相反する方向に屈曲した接続部が設けられ、その水下側接続部に、竪樋の上端部が接続されるソケット部材が回動自在に嵌着され、一方、前記水上側接続部に、呼び樋の下端部が接続されるエルボ部材が回動自在に嵌着されているものである。
【０００８】
請求項２記載の発明は、請求項１記載の伸縮吸収継手において、水上側接続部の端部内周面およびソケット部材の水上側端部内周面にそれぞれ係止部が設けられ、一方、水下側接続部の端部外周面およびエルボ部材の水下側端部外周面にそれぞれ凹溝が設けられ、前記両係止部がそれぞれ前記両凹溝に嵌着されることにより、ソケット部材およびエルボ部材がそれぞれ継手本体に対して回動自在とされているものである。
【０００９】
（作用）
請求項１および２記載の伸縮吸収継手においては、短管状の継手本体の両端に、互いに相反する方向に屈曲した接続部が設けられ、その水下側接続部に、竪樋の上端部が接続されるソケット部材が回動自在に嵌着され、一方、前記水上側接続部に、呼び樋の下端部が接続されるエルボ部材が回動自在に嵌着されているので、継手本体に対してエルボ部材とソケット部材とがそれぞれ回動することで、軒先に配設された軒樋の熱伸縮に起因する呼び樋が変位可能である。この呼び樋の変位により、軒先に配設された軒樋の熱伸縮を吸収できる。
【００１０】
請求項２記載の伸縮吸収継手においては、水上側接続部の端部内周面およびソケット部材の水上側端部内周面にそれぞれ係止部が設けられ、一方、水下側接続部の端部外周面およびエルボ部材の水下側端部外周面にそれぞれ凹溝が設けられ、前記両係止部がそれぞれ前記両凹溝に嵌着されることにより、ソケット部材およびエルボ部材がそれぞれ継手本体に対して回動自在とされているので、エルボ部材の水下側端部および継手本体の水下側接続部がともに内側に位置することになる。この結果、伸縮吸収継手が水平状態で接続施工されても、両回動自在な接続部より水漏れが生じることがない。
【００１１】
【発明の実施の形態】
以下、本発明の実施の形態について図面を参照して説明する。
図１は本発明の伸縮吸収継手の第１実施例を使用状態とともに示す斜視図、図２は図１の要部を示す縦断面図、図３は継手本体の要部を示す拡大斜視図、図４は軒樋の収縮状態を示す説明図である。
【００１２】
１は伸縮吸収継手であり、短管状のＳ字形の継手本体２と、９０度エルボ継手３と、ソケット継手４とから構成されている。継手本体２，９０度エルボ継手３およびソケット継手４はともに塩化ビニル樹脂製のものである。継手本体２の両端には、互いに相反する方向にほぼ９０度屈曲した水上側接続部２１と水下側接続部２２が設けられている。図３に示すように、水上側接続部２１の端部内周面には４個の係止片２１１が内方に一体に突設されている。一方、水下側接続部２２の端部外周面には凹溝２２１が周方向に連続して設けられている。
【００１３】
ソケット継手４の水上側端部内周面には、上記継手本体２の場合と同様に、４個の係止片４１が内方に一体に突設されている。一方、エルボ継手３の水下側端部外周面には、上記継手本体２の場合と同様に、凹溝３１が周方向に連続して設けられている。そして、継手本体２の水上側接続部２１の４個の係止片２１１がエルボ継手３の凹溝３１に、ソケット継手４の４個の係止片４１が継手本体２の水下側接続部２１の凹溝２２１にそれぞれ嵌着されて、ソケット継手４およびエルボ継手３がそれぞれ継手本体２に対して、両接続部２１，２２の軸心の回りに回動自在とされている。
【００１４】
そして、図１に示すように、エルボ継手３の水上側端部内に呼び樋５の水下側端部が接着して接続され、また、ソケット継手４の水下側端部内に竪樋６の上端部が接着して接続されている。なお、呼び樋５の水上側端部はエルボ継手（図示せず）の水下側端部と接着して接続され、このエルボ継手の水上側端部が集水器としての機能を有した曲がり継手７の底部から下方に突設した筒状の落とし口（図示せず）と回動自在に接続され、軒樋８，８と竪樋６とが接続されている。
【００１５】
つぎに、図１および図４に基づいて上記伸縮吸収継手１の作用について説明する。呼び樋５と竪樋６とを伸縮吸収継手１にて接続施工した状態（図１参照）において、軒樋８，８が熱収縮した場合、曲がり継手７は図４において点線で示すように、建物Ｈの隅部に向かって変位することになる。この結果、図１に示すように、呼び樋５に対してＢ方向の圧縮荷重が作用する。
【００１６】
ところで、継手本体２に対してエルボ継手３とソケット継手４とがそれぞれ回動する、つまり、エルボ継手３に対して、継手本体２が竪樋６の軸心を回動中心としてＱ方向に回動することにより、呼び樋５の長さが見かけ上短くなった状態となる。このように、建物Ｈの軒先に配設された軒樋８，８の熱収縮に対応して、継手本体２に対してエルボ継手３とソケット継手４とがそれぞれ回動することで、呼び樋５が変位することになる。この呼び樋５の変位によって軒樋８，８の熱収縮を吸収して緩和できる。
【００１７】
上記とは逆に軒樋８，８が伸長した場合、曲がり継手７は建物Ｈの隅部とは逆方向に向かって変位することになる。この結果、図１に示すように、呼び樋５に対してＡ方向の引張荷重が作用する。そして、継手本体２に対してエルボ継手３とソケット継手４とがそれぞれ回動する、つまり、エルボ継手３に対して、継手本体２が竪樋６の軸心を回動中心としてＰ方向に回動することにより、呼び樋５の長さが見かけ上長くなった状態となる。このように、建物Ｈの軒先に配設された軒樋８，８の熱伸長に対応して、継手本体２に対してエルボ継手３とソケット継手４とがそれぞれ回動することで、呼び樋５が変位することになる。この呼び樋５の変位によって軒樋８，８の熱伸長を吸収して緩和できる。
【００１８】
また、上記実施例においては、エルボ継手３の水下側端部が継手本体２の水上側接続部の内側に位置し、また、継手本体２の水下側接続部もソケット継手４の水上側端部の内側に位置しているので、水平状態で接続施工されても、両回動自在な接続部より水漏れが生じない。
【００１９】
上記実施例においては、呼び樋５および竪樋６が円筒状のものを図示したが、呼び樋および竪樋６が角筒状のものであっても適用できることは勿論である。また、エルボ継手３は９０度タイプ以外の３０度，４５度，６０度タイプのものであってもよい。
【００２０】
また、上記実施例では、継手本体２の水上側接続部２１の端部内周面およびソケット継手４の水上側端部内周面に、それぞれ内方に突出した係止片を部分的に設けたが、この両係止片は内周面に沿って連続して突設された鍔状のものであってもよい。この場合、継手本体２の凹溝２２１を除いた水下側接続部２２およびエルボ継手３の凹溝３１を除いた水下側端部にそれぞれスリット状の切欠部を設けるのが望ましい。この切欠部が存在することにより、継手本体２の水上側接続部２１へのエルボ継手３の嵌着、継手本体２の水下側接続部２１へのソケット継手４の嵌着を容易に行える。
【００２１】
【発明の効果】
請求項１記載の発明においては、短管状の継手本体の両端に、互いに相反する方向に屈曲した接続部が設けられ、その水下側接続部に、竪樋の上端部が接続されるソケット部材が回動自在に嵌着され、一方、前記水上側接続部に、呼び樋の下端部が接続されるエルボ部材が回動自在に嵌着されているので、継手本体に対してエルボ部材とソケット部材とがそれぞれ回動することで、軒先に配設された軒樋の熱伸縮に起因する呼び樋が変位可能である。この呼び樋の変位により、軒先に配設された軒樋の熱伸縮を吸収することができる。
【００２２】
請求項２記載の発明においては、上記請求項１記載の効果に加え、水上側接続部の端部内周面およびソケット部材の水上側端部内周面にそれぞれ係止部が設けられ、一方、水下側接続部の端部外周面およびエルボ部材の水下側端部外周面にそれぞれ凹溝が設けられ、前記両係止部がそれぞれ前記凹溝に嵌着されることにより、ソケット部材およびエルボ部材がそれぞれ継手本体に対して回動自在とされているので、エルボ部材の水下側端部および継手本体の水下側接続部がともに内側に位置することで、伸縮吸収継手が水平状態で接続施工されても、両回動自在な接続部より水漏れが生じることがない。
【図面の簡単な説明】
【図１】本発明の伸縮吸収継手の第１実施例を使用状態とともに示す斜視図である。
【図２】図１の要部を示す縦断面図である。
【図３】継手本体の要部を示す拡大斜視図である。
【図４】軒樋の収縮状態を示す説明図である。
【図５】従来の呼び樋部分の接続構造を示す説明図である。
【図６】従来の改良された呼び樋部分の接続構造を示す説明図である。
【図７】図６の要部を示す拡大断面図である。
【符号の説明】
１  伸縮吸収継手
２  継手本体
２１  水上側接続部
２１１  係止部
２２  水下側接続部
２２１  凹溝
３  エルボ部材
３１  凹溝
４  ソケット部材
４１  係止部
５  呼び樋
６  竪樋
【図１】
0003819568.tif 000002
【図２】
0003819568.tif 000003
【図３】
0003819568.tif 000004
【図４】
0003819568.tif 000005
【図５】
0003819568.tif 000006
【図６】
0003819568.tif 000007
【図７】
0003819568.tif 000008